(57)【要約】【課題】移動しながら撮影したときの動画の撮影位置を地図上で認識することができるようにする動画表示装置、プログラムおよび撮像装置を提供する。【解決手段】撮影したときの位置情報を有する動画ファイルから位置情報を取得し、または動画ファイルの動画を再生して表示モニタに表示させ、または地図データを使用して表示モニタに地図５２を表示させる制御回路と、地図データを記憶する記憶装置とを備え、制御回路は、取得した位置情報が、移動しながら撮影したときのものである場合、撮影をしたときの位置の軌跡５３ａを地図５２上に表示するようにした。【選択図】図５
2010171838.tif 000002
【特許請求の範囲】
【請求項１】
撮影したときの位置情報を有する動画ファイルから該位置情報を取得する位置情報取得手段と、
地図データを記憶する地図データ記憶手段と、
前記地図データを使用して表示モニタに地図を表示させる地図表示制御手段と、
前記動画ファイルの動画を再生して前記表示モニタに表示させる動画再生制御手段とを備え、
前記地図表示制御手段は、前記撮影位置情報取得手段によって取得した位置情報が、移動しながら撮影したときのものである場合、前記撮影をしたときの位置の軌跡を前記地図上に表示させることを特徴とする動画表示装置。
【請求項２】
請求項１に記載の動画表示装置において、
前記表示モニタに表示された軌跡に対して、前記動画の再生開始位置および前記動画の再生終了位置のうちの少なくとも１つを指定する指定手段を備えることを特徴とする動画表示装置。
【請求項３】
請求項２に記載の動画表示装置において、
前記指定手段は、前記動画の再生開始位置および前記動画の再生終了位置を指定し、
前記動画ファイルから、前記再生開始位置が指定された位置で撮影された画像と前記再生終了位置が指定された位置で撮影された画像との間の動画を取り出して記憶する動画記憶手段を備えることを特徴とする動画表示装置。
【請求項４】
請求項１に記載の動画表示装置において、
前記軌跡が行政区画の境界線と交差する位置に候補地点を設定する候補地点設定手段と、
前記候補地点に、前記動画の再生開始位置および前記動画の再生終了位置のうちの少なくとも１つを指定する指定手段とを備えることを特徴とする動画表示装置。
【請求項５】
請求項４に記載の動画表示装置において、
前記指定手段は、前記動画の再生開始位置および前記動画の再生終了位置を指定し、
前記動画ファイルから、前記再生開始位置が指定された候補位置で撮影された画像と前記再生終了位置が指定された候補位置で撮影された画像との間の動画を取り出して記憶する動画記憶手段を備えることを特徴とする動画表示装置。
【請求項６】
請求項１に記載の動画表示装置において、
前記地図の中に範囲を指定する範囲指定手段を備え、
前記動画再生制御手段は、前記軌跡のうちの前記範囲に含まれる部分で撮影された動画を再生することを特徴とする動画表示装置。
【請求項７】
請求項６に記載の動画表示装置において、
前記動画再生制御手段は、撮影したときの位置の軌跡の一部または全部が前記範囲に含まれる動画ファイルが複数ある場合、再生する動画ファイルを切り替えるときにトラジション処理を行うことを特徴とする動画表示装置。
【請求項８】
請求項６に記載の動画表示装置において、
前記動画ファイルから、前記軌跡のうちの前記範囲に含まれる部分で撮影された動画を取り出して記憶する動画記憶手段を備えることを特徴とする動画表示装置。
【請求項９】
請求項１に記載の動画表示装置において、
前記軌跡がランドマークの入口を通過する場合、前記軌跡における前記入口の位置に再生開始位置、または前記軌跡がランドマークの出口を通過する場合、前記軌跡の前記出口の位置に再生終了位置を設定する設定手段を備え、
前記動画再生制御手段は、前記再生開始が設定された位置で撮影された画像から動画の再生を開始し、または前記再生終了が設定された位置で撮影された画像で動画の再生を終了することを特徴とする動画表示装置。
【請求項１０】
請求項１に記載の動画表示装置において、
前記動画再生制御手段は、前記地図とともに前記再生した動画を表示し、
前記地図表示制御手段は、前記軌跡上の位置の中で、前記再生した動画を撮影した時点の撮影位置にマークを表示させることを特徴とする動画表示装置。
【請求項１１】
請求項１０に記載の動画表示装置において、
前記位置情報取得手段は、前記動画ファイルに撮影したときの撮影方向の情報が含まれている場合、前記動画ファイルから撮影方向の情報を取得し、
前記地図表示制御手段は、前記動画を撮影した位置に表示されたマークとともに、前記動画を撮影した時点の撮影方向を示すマークを表示させることを特徴とする動画表示装置。
【請求項１２】
撮影したときの位置情報を有する複数の動画ファイルの中から動画ファイルを検索する動画ファイル検索手段と、
前記動画ファイル検索手段によって検索された動画ファイルから動画ファイルの小画像を作成する小画像作成手段と、
前記小画像を表示モニタに表示させる小画像表示制御手段と、
前記動画ファイル検索手段によって検索された動画ファイルから、前記撮影したときの位置情報を取得する位置情報取得手段と、
地図データを記憶する地図データ記憶手段と、
前記地図データを使用して前記表示モニタに地図を表示させるとともに、前記撮影位置情報取得手段によって取得した位置情報が、移動しながら撮影したときのものである場合、前記撮影をしたときの位置の軌跡を該地図上に表示させる地図表示制御手段と、
前記動画ファイルの動画を再生して前記表示モニタに表示させる動画再生制御手段と、
前記表示モニタの画面に、小画像表示領域、地図表示領域および再生領域を設定する画面領域設定手段とを備え、
前記小画像表示制御手段は、前記小画像を前記小画像表示領域に表示させ、
前記地図表示制御手段は、前記軌跡を表した地図を前記地図表示領域に表示させ、
前記動画再生制御手段は、前記動画を前記再生領域に表示させることを特徴とする動画表示装置。
【請求項１３】
コンピュータを、撮影したときの位置情報を有する動画ファイルから該位置情報を取得する位置情報取得手段と、
地図データを使用して表示モニタに地図を表示させるとともに、前記撮影位置情報取得手段によって取得した位置情報が、移動しながら撮影したときのものである場合、前記撮影をしたときの位置の軌跡を該地図上に表示させる地図表示制御手段と、
前記動画ファイルの動画を再生して前記表示モニタに表示させる動画再生制御手段として機能させることを特徴とするプログラム。
【請求項１４】
被写体を撮影して動画を取得する撮像手段と、
前記撮像手段によって動画を取得しているときの位置を検出する位置検出手段と、
前記撮像手段によって動画を取得しているときの撮影方向を検出する撮像方向検出手段と、
前記撮像手段によって取得された動画を、前記位置検出手段によって検出された位置と前記撮影方向検出手段によって検出された撮影方向とに関連付けて記憶する動画記憶手段とを備えることを特徴とする撮像装置。
【発明の詳細な説明】
【技術分野】
【０００１】
本発明は、地図と関連させて動画を表示する動画表示装置、プログラムおよびその動画を撮影する撮像装置に関する。
【背景技術】
【０００２】
ＧＰＳを利用したカメラシステムが数多く提案されており、ＧＰＳ受信機から得られる位置情報と、時刻情報とを関連付けて画像データを保存することができる。この画像データを使用して、画像データのサムネイルアイコンとともに、撮影場所を示すと位置アイコンを表示した地図を表示する情報処理装置が従来技術として知られている（たとえば、特許文献１参照）。
【先行技術文献】
【特許文献】
【０００３】
【特許文献１】特開２００２−１２３８１４号公報
【発明の概要】
【発明が解決しようとする課題】
【０００４】
特許文献１に記載されている情報処理装置では、連続的に移動して撮影可能な動画の表示に関して考慮されていないという問題点がある。
【課題を解決するための手段】
【０００５】
請求項１の発明の動画表示装置は、撮影したときの位置情報を有する動画ファイルから該位置情報を取得する位置情報取得手段と、地図データを記憶する地図データ記憶手段と、地図データを使用して表示モニタに地図を表示させる地図表示制御手段と、動画ファイルの動画を再生して表示モニタに表示させる動画再生制御手段とを備え、地図表示制御手段は、撮影位置情報取得手段によって取得した位置情報が、移動しながら撮影したときのものである場合、撮影をしたときの位置の軌跡を地図上に表示させることを特徴とする。
請求項１２の発明の動画表示装置は、撮影したときの位置情報を有する複数の動画ファイルの中から動画ファイルを検索する動画ファイル検索手段と、動画ファイル検索手段によって検索された動画ファイルから動画ファイルの小画像を作成する小画像作成手段と、小画像を表示モニタに表示させる小画像表示制御手段と、動画ファイル検索手段によって検索された動画ファイルから、撮影したときの位置情報を取得する位置情報取得手段と、地図データを記憶する地図データ記憶手段と、地図データを使用して表示モニタに地図を表示させるとともに、撮影位置情報取得手段によって取得した位置情報が、移動しながら撮影したときのものである場合、撮影をしたときの位置の軌跡を該地図上に表示させる地図表示制御手段と、動画ファイルの動画を再生して表示モニタに表示させる動画再生制御手段と、表示モニタの画面に、小画像表示領域、地図表示領域および再生領域を設定する画面領域設定手段とを備え、小画像表示制御手段は、小画像を小画像表示領域に表示させ、地図表示制御手段は、軌跡を表した地図を地図表示領域に表示させ、動画再生制御手段は、動画を再生領域に表示させることを特徴とする。
請求項１３の発明のプログラムは、コンピュータを、撮影したときの位置情報を有する動画ファイルから該位置情報を取得する位置情報取得手段と、地図データを使用して表示モニタに地図を表示させるとともに、撮影位置情報取得手段によって取得した位置情報が、移動しながら撮影したときのものである場合、撮影をしたときの位置の軌跡を該地図上に表示させる地図表示制御手段と、動画ファイルの動画を再生して表示モニタに表示させる動画再生制御手段として機能させることを特徴とする。
請求項１４の発明の撮像装置は、被写体を撮影して動画を取得する撮像手段と、撮像手段によって動画を取得しているときの位置を検出する位置検出手段と、撮像手段によって動画を取得しているときの撮影方向を検出する撮像方向検出手段と、撮像手段によって取得された動画を、位置検出手段によって検出された位置と撮影方向検出手段によって検出された撮影方向とに関連付けて記憶する動画記憶手段とを備えることを特徴とする。
【発明の効果】
【０００６】
本発明によれば、移動しながら撮影したときの動画の撮影位置を地図上で認識することができる。
【図面の簡単な説明】
【０００７】
【図１】本発明の第１の実施形態における撮像装置の構成を説明するためのブロック図である。
【図２】画像ファイルを説明するための図である。
【図３】本発明の第１の実施形態における動画表示装置を説明するためのブロック図である。
【図４】図４（ａ）は、本発明の第１の実施形態における動画ファイル検索画面を説明するための図であり、図４（ｂ）は、本発明の第１の実施形態における動画ファイル選択画面を説明するための図である。
【図５】本発明の第１の実施形態における動画再生画面を説明するための図である。
【図６】本発明の第１の実施形態における動画ファイル選択画面表示処理を説明するためのフローチャートである。
【図７】本発明の第１の実施形態における動画再生処理を説明するためのフローチャートである。
【図８】本発明の第１の実施形態における動画再生画面の変形例を説明するための図である。
【図９】本発明の第２の実施形態における動画ファイル選択画面を説明するための図である。
【図１０】本発明の第２の実施形態における動画再生画面を説明するための図である。
【図１１】本発明の第２の実施形態における動画再生処理を説明するためのフローチャートである。
【図１２】本発明の第２の実施形態における動画ファイル選択画面の変形例を説明するための図である。
【図１３】図１３（ａ）は、本発明の第２の実施形態における動画ファイル選択画面の変形例を説明するための図であり、図１３（ｂ）は、本発明の第２の実施形態の変形例におけるトランジション処理を選択するためのポップアップ画面を説明するための図である。
【図１４】本発明の第２の実施形態における動画ファイル選択画面の変形例を説明するための図である。
【図１５】図１５（ａ）は、本発明の第３の実施形態における動画ファイルの再生画面を説明するための図であり、図１５（ｂ）は、本発明の第本発明の第５の実施形態における動画保存画面を説明するための図である。
【図１６】本発明の第３の実施形態における動画保存処理を説明するためのフローチャートである。
【発明を実施するための形態】
【０００８】
−第１の実施形態−
図１を参照して、本発明の第１の実施形態における、位置情報と関連付けて動画を撮影する撮像装置を説明する。図１は撮像装置１の構成を説明するブロック図である。撮像装置１は、制御回路１０１と、メモリ１０２と、操作部１０３と、外部インターフェイス（Ｉ／Ｆ）回路１０４と、メモリカードインターフェイス（Ｉ／Ｆ）１０５と、ＧＰＳ装置１０６と、電子コンパス１０７とを有する。メモリカードインターフェイス１０５にはメモリカード１５０が実装される。
【０００９】
制御回路１０１は、制御プログラムに基づいて、撮像装置内各部から出力される信号を用いて所定の演算を行う。制御回路１０１は、撮像装置内各部に対して制御信号を送出することにより、撮像装置１の撮影動作を制御する。なお、制御プログラムは制御回路１０１内の不図示のＲＯＭ（ Read Only Memory ）に格納される。
【００１０】
制御回路１０１は、ＧＰＳ装置１０６から取得した測位データと、電子コンパス１０７から取得した撮影方向の情報と、撮影した動画の動画データなどから動画ファイルを作成し、メモリ１５０などに記憶させる。
【００１１】
図２を参照して制御回路１０１において作成される動画ファイルを説明する。画像ファイル２の動画データは、モーションＪＰＥＧの圧縮形式で圧縮される。図２に示すように、各フレーム２１ａ〜２１ｒの画像データはＪＰＥＧ形式で圧縮され、所定のフレーム間隔ごとにフレーム２１ｆ，２１ｌ，２２ｒの画像データにＧＰＳ装置１０６から取得した測位データ（位置情報）と電子コンパス１０７から取得した撮影方向の情報２２ａ〜２２ｃとが付加される。これらの圧縮された画像データを伸長し、連続的に表示することによって動画を表示することができる。なお、動画データの圧縮形式は、モーションＪＰＥＧに限定されず、たとえば、ＭＰＥＧでもよい。
【００１２】
図１のメモリ１０２は、制御回路１０１の作業用メモリとして使用される。操作部１０３は、ボタンやスイッチで構成され、操作されたボタンやスイッチに対応する操作信号を制御回路１０１へ出力する。外部インターフェイス回路１０４は、制御回路１０１からの指示により不図示のケーブルを介して外部機器（パーソナルコンピュータ、プリンタなど）との間でコマンドおよびデータを送受信する。メモリカードインターフェイス１０５は、制御回路１０１の指示によりメモリカード１５０へ動画ファイルを書き込む。メモリカード１５０は、メモリカードインターフェイス１０５に着脱可能な外部記録媒体である。
【００１３】
ＧＰＳ装置１０６は、測位衛星から送信された電波の伝播時間および測位衛星の位置に基づいて、撮像装置１の位置を計測する。正確な時計に同期して測位衛星から電波が送信されるので、ＧＰＳ装置１０６は、電波の受信時間から伝播時間を算出することができる。測位衛星から送信される電波には、測位衛星の軌道データが含まれており、ＧＰＳ装置１０６は、その軌道データから測位衛星の位置を算出することができる。電子コンパス１０７は，地磁気を検出して撮影方向（撮影光学系の光軸の方向）を算出する。
【００１４】
撮像部１２０は、撮影光学系１２１、撮像素子１２２および撮像制御回路１２３を有し、制御回路１０１からの指示に応じて被写体の撮影を行う。撮影光学系１２１は、撮像素子１２２の撮像面上に被写体像を結像させる。撮像素子１２２としては、ＣＣＤ（ Charge Coupled Device ）撮像素子やＣＭＯＳ（ Complementary Metal Oxide Semiconductor ）撮像素子などが用いられる。撮像制御回路１２３は、制御回路１０１からの指示により撮像素子１２２を駆動制御するとともに、撮像素子１２２から出力される画像信号に対して所定の信号処理を行う。信号処理後の画像のデータは、動画ファイルとしてメモリカード１５０に記録される。
【００１５】
次に、図３を参照して、本発明の第１の実施形態における動画表示装置３を説明する。図３は動画表示装置３の構成を説明するブロック図である。動画表示装置３は、制御回路３０１と、メモリ３０２と、操作部３０３と、表示モニタ３０４と、スピーカ３０５と、外部インターフェイス（Ｉ／Ｆ）回路３０６と、メモリカードインターフェイス（Ｉ／Ｆ）３０７と、記憶装置３０８とを有する。メモリカードインターフェイス３０７にはメモリカード１５０が実装される。
【００１６】
制御回路３０１は、制御プログラムを実行して動画表示装置３の動画再生処理を制御する。なお、制御プログラムは記憶装置３０８に格納される。制御回路３０１が実行する動画再生処理の詳細は後述する。メモリ３０２は、制御回路３０１が記憶装置３０８から読み出した制御プログラムを一時的に記憶したり、制御回路３０１の作業用メモリとして使用されたりする。操作部３０３は、マウスやボタン、スイッチなどを含み、操作されたマウスなどに対応する操作信号を制御回路３０１へ出力する。メモリカードインターフェイス３０７は、制御回路３０１の指示によりメモリカード１５０へ動画ファイルを書き込んだりメモリカード１５０から動画ファイルを読み出したりする。
【００１７】
表示モニタ３０４は、制御回路３０１からの指示により動画ファイルの動画や地図、テキスト情報などを表示する。スピーカ３０５は、制御回路３０１からの指示により音声を出力する。外部インターフェイス回路３０６は、制御回路３０１からの指示により不図示のケーブルを介して外部機器（パーソナルコンピュータ、プリンタなど）との間でコマンドおよびデータを送受信する。
【００１８】
記憶装置３０８は、動画表示装置３を制御するための制御プログラムを記憶する。また、記憶装置３０８は、表示モニタ３０４に地図を表示するための地図データを記憶する。
【００１９】
図４および図５を参照して、本発明の第１の実施形態における動画ファイル表示方法を説明する。メモリカード１５０に記憶されている複数の動画ファイルの中から撮影位置の住所に基づいて動画ファイルを検索し、検索した動画ファイルの中から所望の動画ファイルの動画を再生するものとして説明する。
【００２０】
図４（ａ）は、表示モニタ３０４に表示された動画ファイル検索画面を説明するための図である。動画ファイル検索画面は、複数の動画ファイルの中から撮影位置の住所に基づいて動画ファイルを検索するときに使用する画面である。動画ファイル検索画面３０にはプルダウンボタン３１ａ〜３１ｇが表示され、プルダウンボタン３１ａ〜３１ｇを不図示のマウスでクリック操作すると住所候補のプルダウンメニューが表示される。
【００２１】
たとえば、図４（ａ）に示すように、プルタウンボタン３１ｅをクリック操作すると、東京都の市区の中で、ナ行の仮名から始まる名称の住所候補がプルダウンメニュー３２で表示される。そして、プルダウンメニュー３２に表示された住所候補の中から住所候補「中野区」をクリック操作すると、地図データと動画ファイルの位置情報とに基づいて中野区で撮影された動画の動画ファイルが検索される。
【００２２】
図４（ｂ）は、表示モニタ３０４に表示された動画ファイル選択画面を説明するための図である。図４（ａ）の動画ファイル検索画面３０で住所候補を選択すると、図４（ｂ）に示す動画ファイル選択画面４０が表示モニタ３０４に表示される。動画ファイル選択画面４０は、小画像表示領域４０Ａと地図表示領域４０Ｂとを有する。小画像表示領域４０Ａには、検索された動画ファイルの動画における最初の画像の小画像（サムネイル）４１ａ〜４１ｄが表示される。ユーザは、小画像（サムネイル）４１ａ〜４１ｄを不図示のマウスを使用してクリック操作することにより、再生する動画ファイルを選択することができる。
【００２３】
地図表示領域４０Ｂには、動画を撮影したときにＧＰＳ装置１０６が測位した撮像装置１の位置（以下、撮影位置と呼ぶ）を示した地図４２が表示される。撮影位置を固定して撮影を行った場合は、撮影位置は点（不図示）で地図４２上に表示され、撮影位置を移動しながら撮影を行った場合は、撮影位置は、撮影位置を線で結んで作成した矢印４３ａ〜４３ｄ、つまり撮影位置の軌跡で地図４２上に表示される。
【００２４】
図５は、動画を再生するときに表示する動画再生画面を説明するための図である。図４（ｂ）の動画ファイル選択画面４０において所望の動画ファイルを選択すると、図５に示す動画再生画面５０が表示モニタ３０４に表示される。動画再生画面５０は、小画像表示領域５０Ａと地図表示領域５０Ｂと動画表示領域５０Ｃとを有する。小画像表示領域５０Ａには、図４（ｂ）の小画像表示領域４０Ａと同様に、検索された動画ファイルにおける最初の画像の小画像４１ａ〜４１ｄが表示される。ユーザによって選択された小画像４１ａの枠は、太く表示され、強調表示される。
【００２５】
地図表示領域５０Ｂには、図４（ｂ）の地図表示領域４０Ｂと同様に、撮影位置を示した地図５２が表示される。図４（ｂ）の地図表示領域４０Ｂと同様に、撮影位置を固定して撮影を行った場合は、撮影位置は点（不図示）で地図５２上に表示され、撮影位置を移動しながら撮影を行った場合は、撮影位置は、撮影位置の軌跡を示す矢印５３ａで地図５２上に表示される。
【００２６】
地図５２は、図４（ｂ）の地図４２の詳細地図であり、矢印５３ａは、図４（ｂ）の地図４２の矢印４３ａに対応する。再生されている動画が撮影された時点の撮影位置には撮影位置マーク５４が表示される。また、この撮影位置で撮影したときの撮影方向が二等辺三角形の撮影方向マーク５５として表示される。撮影方向マーク５５の頂点の方向が撮影方向である。矢印５３ａに対応する動画ファイルの動画が再生され、動画表示領域５０Ｃに表示される。
【００２７】
図６のフローチャートを参照して、本発明の第１の実施形態における動画ファイル選択画面表示処理を説明する。図６の処理は、動画ファイル検索画面が表示モニタ３０４に表示されるとスタートするプログラムにより制御回路３０１において実行される。
【００２８】
ステップＳ１０１では、動画ファイル検索画面で市町村などの行政区画が選択されたか否かを判定する。行政区画が選択された場合はステップＳ１０１が肯定判定され、ステップＳ１０２へ進み、行政区画が選択されていない場合はステップＳ１０１を繰り返す。
【００２９】
ステップＳ１０２では、メモリカード１５０に記憶されている複数の動画ファイルの中から、選択された行政区画内の撮影位置を有する動画ファイルを抽出する。動画ファイルが行政区画内の撮影位置を有するか否かの判断は、記憶装置３０８に記憶されている地図データにおける行政区画の位置情報を参照して行う。ステップＳ１０３では、抽出した動画ファイルの撮影位置が全て地図表示領域に入るように地図の表示範囲および地図の縮尺を決定する。
【００３０】
ステップＳ１０４では、抽出した動画ファイルの動画における最初の画像に基づいて小画像を作成する。ステップＳ１０５では、動画ファイルの撮影位置を線で結んで、撮影位置の軌跡を示す矢印を作成する。ステップＳ１０６では、小画像表示領域と地図表示領域とを表示モニタ３０４の画面に設定した後、ステップＳ１０４で作成した小画像を小画像表示領域に表示する。ステップＳ１０７では、撮影位置の軌跡を示す矢印を表した地図を地図表示領域に表示する。
【００３１】
図７のフローチャートを参照して、本発明の第１の実施形態における動画再生処理を説明する。図７の処理は、動画ファイル選択画面が表示モニタ３０４に表示されるとスタートするプログラムにより制御回路３０１において実行される。
【００３２】
ステップＳ２０１では、動画ファイル選択画面で、小画像表示領域に表示されている小画像の中から１つの小画像が選択されたか否かを判定する。小画像表示領域に表示されている小画像の中から１つの小画像が選択された場合はステップＳ２０１が肯定判定されてステップＳ２０２へ進む。小画像表示領域に表示されている小画像の中から小画像が選択されていない場合はステップＳ２０１を繰り返す。ステップＳ２０２では、地図表示領域の一部に動画表示領域を設定する。
【００３３】
ステップＳ２０３では、選択された小画像の動画ファイルを読み込む。ステップＳ２０４では、選択された小画像における動画ファイルの撮影位置が全て地図表示領域に入るように地図の表示範囲および地図の縮尺を決定する。ステップＳ２０５では、選択された小画像における動画ファイルの撮影位置を線で結んで、撮影位置の軌跡を示す矢印を作成する。
【００３４】
ステップＳ２０６では、撮影位置の軌跡を示す矢印を表した地図を地図表示領域に表示する。ステップＳ２０７では、選択された小画像における動画ファイルを再生して動画表示領域に表示する。ステップＳ２０８では、撮影位置の軌跡を示す矢印上における動画の撮影位置に撮影位置マークと撮影方向マークとを表示する。
【００３５】
ステップＳ２０９では、動画ファイルを全て再生して、動画の再生が終了したか否かを判定する。動画の再生が終了した場合はステップＳ２０９が肯定判定され、動画再生処理を終了する。動画の再生が終了していない場合はステップＳ２０９が否定判定され、ステップＳ２０７に戻る。
【００３６】
以上説明した第１の実施形態によれば、次の作用効果が得られる。
（１）撮影したときの位置情報を有する動画ファイルから位置情報を取得し、または動画ファイルの動画を再生して表示モニタ３０８に表示させ、または地図データを使用して表示モニタ３０８に地図４２，５２を表示させる制御回路３０１と、地図データを記憶する記憶装置３０８とを備え、制御回路３０１は、取得した位置情報が、移動しながら撮影したときのものである場合、撮影をしたときの位置の軌跡４３ａ〜４３ｄ，５３ａを地図４２，５２上に表示するようにした。これにより、移動しながら撮影したときの動画の撮影位置を地図上で認識することができる。
【００３７】
（２）制御回路３０１は、地図５２とともに動画５６を表示し、軌跡５３ａ上の位置の中で、動画５６を撮影した時点の撮影位置に撮影位置マーク５４を表示させるようにした。これにより、移動しながら撮影したときの動画が表示されているとき、表示されている動画が撮影された時点の撮影位置を地図上で認識することができる。
【００３８】
（３）制御回路３０１は、動画５６を撮影した位置に表示された撮影位置５４マークとともに、動画５６を撮影したときの撮影方向を示す撮影方向マーク５５を表示させるようにした。これにより、移動しながら撮影したときの動画が表示されているとき、表示されている動画の撮影方向も地図上で認識することができる。
【００３９】
（４）撮影したときの位置情報を有する複数の動画ファイルの中から動画ファイルを検索し、検索された動画ファイルから動画ファイルの小画像を作成し、小画像５１ａ〜５１ｄを表示モニタ３０８に表示させ、検索された動画ファイルから、撮影したときの位置情報を取得し、地図データを記憶し、地図データを使用して表示モニタ３０８に地図５２を表示させるとともに、取得した位置情報が、移動しながら撮影したときのものである場合、撮影をしたときの位置の軌跡５３ａを地図５２上に表示させ、動画ファイルを再生して表示モニタ３０８に動画を表示させ、表示モニタ３０８の画面に、小画像表示領域５０Ａ、地図表示領域５０Ｂおよび動画表示領域５０Ｃを設定し、小画像５１ａ〜５１ｄを小画像表示領域５０Ａに表示させ、軌跡５３ａを表した地図５２を地図表示領域５０Ｂに表示させ、動画５６を動画表示領域５０Ｃに表示させるようにした。これにより、ユーザは、検索された動画ファイルの中で選択された動画ファイルと、選択された動画ファイルが撮影された位置と、選択された動画ファイルの内容とを同時に認識することができ便利である。
【００４０】
（５）撮像装置１は、撮像部１２０によって動画を取得しているときの位置を検出するＧＰＳ装置１０６と、撮像部１２０によって動画を取得しているときの撮影方向を検出する電子コンパス１０７とを備えるようにし、撮像部１２０によって取得された動画を、ＧＰＳ装置１０６によって検出された位置と電子コンパス１０７によって検出された撮影方向とに関連付けて記憶するようにした。これにより、動画を撮影したときの撮影位置や撮影したときの撮影方向を地図に重ねて表示することができ、便利である。
【００４１】
以上の第１の実施形態を次のように変形することができる。
（１）以上の第１の実施形態では、動画再生画面５０に、小画像表示領域５０Ａと地図表示領域５０Ｂと動画表示領域５０Ｃとを設定するようにしたが、図８に示すように、小画像表示領域５０Ａを設定しないようにしてもよい。これにより、地図表示領域５０Ｂを大きくすることができ、ユーザは撮影位置をより詳細に認識することができる。
【００４２】
（２）撮像装置１の位置を検出することができれば、撮像装置１の位置検出方法はＧＰＳ装置１０６によるものに限定されない。また、撮像装置１の撮影方向を検出することができれば、撮像装置１の撮影方向の検出方法は電子コンパス１０７によるものに限定されない。
【００４３】
−第２の実施形態−
【００４４】
本発明の第２の実施形態における動画表示装置を説明する。本発明の第２の実施形態における動画表示装置は、動画ファイルの動画の中から再生する動画の範囲を指定することができる。
【００４５】
本発明の第２の実施形態における撮像装置の構成は、本発明の第１の実施形態における撮像装置１の構成と同一であるので、本発明の第２の実施形態における撮像装置の説明は省略する。
【００４６】
本発明の第２の実施形態における動画表示装置の構成は、本発明の第１の実施形態における動画表示装置３の構成と同一であるので、本発明の第２の実施形態における動画表示装置の説明は省略する。
【００４７】
図９および図１０を参照して、本発明の第２の実施形態における動画ファイルの動画表示方法を説明する。メモリカード１５０に記憶されている複数の動画ファイルの中から撮影位置の住所に基づいて動画ファイルを検索し、検索した動画ファイルの中から所望の動画ファイルを、再生範囲を指定して再生するものとして説明する。
【００４８】
図９は、表示モニタ３０４に表示された動画ファイル選択画面を説明するための図である。第１の実施形態と同様に、動画ファイル検索画面３０（図４（ａ）参照）において住所候補を選択すると、図９に示す動画ファイル選択画面６０が表示モニタ３０４に表示される。動画ファイル選択画面６０は、小画像表示領域６０Ａと地図表示領域６０Ｂとを有する。小画像表示領域６０Ａは、第１の実施形態の小画像表示領域４０Ａと同一であるので、小画像表示領域６０Ａの説明は省略する。
【００４９】
地図表示領域６０Ｂには、第１の実施形態の地図表示領域４０Ｂと同様に、撮影位置を示す点（不図示）や撮影位置の軌跡を示す矢印６３ａ〜６３ｄを表した地図６２が表示される。また、撮影位置の軌跡を示す矢印６３ａの上には、矢印６３ａに対応する動画の再生開始位置を示す再生開始マーク６７と再生終了位置を示す再生終了マーク６８とが表示される。再生開始位置とは、再生を開始するときの最初の画像の撮影位置であり、再生終了位置とは、再生を終了するときの最後の画像の撮影位置である。
【００５０】
動画ファイル選択画面６０の小画像表示領域６０Ａに表示されている小画像６１ａ〜６１ｄの中から所望の小画像６１ａを選択した後、選択した小画像６１ａの矢印６３ａの所定の位置を不図示のマウスを使用してクリック操作すると、クリック操作された位置に再生開始位置が設定される。次に、選択した小画像６１ａの矢印６３ａの別の位置を不図示のマウスを使用してクリック操作すると、クリック操作された位置に再生終了位置が設定される。そして、再生開始位置に再生開始マーク６７が表示され、再生終了位置に再生終了マーク６８が表示される。その後、再生開始位置で撮影した画像から動画の再生が始まり、再生終了位置で撮影した画像で動画の再生が終わる。
【００５１】
図１０は、動画を再生するときに表示する動画再生画面を説明するための図である。図９の動画ファイル選択画面６０において再生開始位置と再生終了位置とが設定されると、図１０に示す動画再生画面７０が表示モニタ３０４に表示される。動画再生画面７０は、第１の実施形態の動画再生画面と同様に、小画像表示領域７０Ａと地図表示領域７０Ｂと動画表示領域７０Ｃとを有する。小画像表示領域７０Ａには、図９の小画像表示領域６０Ａと同様に、検索された動画ファイルにおける最初の画像の小画像７１ａ〜７１ｄが表示される。選択された動画ファイルにおける小画像７１ａの枠は、太く表示され、強調表示される。
【００５２】
地図表示領域７０Ｂには、図９の地図表示領域６０Ｂと同様に、撮影位置を示した地図７２が表示される。図９の地図表示領域６０Ｂと同様に、地図表示領域７０Ｂには、撮影位置を固定して撮影を行った場合は、撮影位置は点（不図示）で地図７２上に表示され、撮影位置を移動しながら撮影を行った場合は、撮影位置は、撮影位置を線で結んで作成した矢印７３ａで地図７２上に表示される。地図７２は、図９の地図６２の詳細地図であり、矢印７３ａは、図９の地図６２の矢印６３ａに対応する。
【００５３】
また、図９の地図表示領域６０Ｂと同様に、撮影位置の軌跡を示す矢印７３ａには、矢印６３ａの動画の再生開始位置を示す再生開始マーク７７と再生終了位置を示す再生終了マーク７８とが表示される。第１の実施形態と同様に、撮影位置の軌跡を示す矢印７３ａの中で、再生されている動画が撮影された時点の撮影位置に撮影位置マーク７４と撮影方向マーク７５とが表示される。
【００５４】
撮影位置の軌跡を示す矢印７３ａの中で再生する部分（再生開始マーク７７と再生終了位置７８との間の部分）の表示色は、再生しない部分の表示色と異なるようにしている。撮影位置の軌跡を示す矢印７３ａの中で再生する部分を容易に認識できるようにするためである。なお、線の種類（実線、点線など）など、他の方法で再生する部分の表示態様を、再生しない部分の表示態様と異なるようにしてもよい。動画表示領域７０Ｃには、再生している動画７６が表示される。
【００５５】
図１１のフローチャートを参照して、本発明の第２の実施形態における動画再生処理を説明する。図７の処理は、動画ファイル選択画面が表示モニタ３０４に表示されるとスタートするプログラムにより制御回路３０１において実行される。図７の処理と同一のステップには同一の符号を付し、図７の処理と異なる部分を主に説明する。なお、本発明の第２の実施形態における動画ファイル選択画面表示処理は、本発明の第１の実施形態における動画ファイル選択画面表示処理と同一であるので、本発明の第２の実施形態における動画ファイル選択画面表示処理の説明は省略する。
【００５６】
ステップＳ２０４の次はステップＳ３０１へ進む。ステップＳ３０１では、再生開始位置が設定されたか否かを判定する。再生開始位置が設定された場合はステップＳ３０１が肯定判定され、ステップＳ３０２へ進む。再生開始位置が設定されていない場合はステップＳ３０１を繰り返す。
【００５７】
ステップＳ３０２では、動画ファイルの中で、再生開始位置と同じ位置の位置情報を有する画像に再生開始フラグを設定する。ステップＳ３０３では、再生終了位置が設定されたか否かを判定する。再生終了位置が設定された場合はステップＳ３０３が肯定判定され、ステップＳ３０４へ進む。再生終了位置が設定されていない場合はステップＳ３０３を繰り返す。ステップ３０４では、動画ファイルの中で、再生終了位置と同じ位置の位置情報を有する画像に再生終了フラグを設定する。そして、ステップＳ２０５へ進む。
【００５８】
ステップＳ２０５の次はステップＳ３０５へ進む。ステップＳ３０５では、再生開始マーク、再生終了マーク、撮影位置を示す矢印を表した地図を地図表示領域に表示する。ステップＳ３０６では、再生開始フラグの画像から再生終了フラグの画像までの動画を再生する。そして、ステップＳ２０８へ進む。
【００５９】
以上説明した第２の実施形態によれば、次の作用効果が得られる。
（１）表示モニタ３０８に表示された軌跡６３ａに対して、動画７６の再生開始位置６７，７７および動画７６の再生終了位置６８，７８のうちの少なくとも１つを指定するようにした。これにより、画像ファイルの再生範囲を選択する操作を地図上の操作で行うことができ、便利である。
【００６０】
以上の第２の実施形態を次のように変形することができる。
（１）再生開始位置または再生終了位置のどちらか一方のみを指定できるようにしてもよい。
【００６１】
（２）動画表示装置が、動画の再生開始位置の候補位置または再生終了位置の候補位置を自動的に設定するようにしてもよい。たとえば、撮影位置の軌跡を示す矢印が行政区画の境界線と交差する位置に動画の再生開始位置の候補位置または再生終了位置の候補位置が設定されるようにしてもよい。
【００６２】
図１２では、撮影位置の軌跡を示す矢印８３ａの中で県境と交差する位置に再生開始／終了位置候補位置８７，８８が設定されている。再生開始／終了位置候補位置８７，８８を不図示のマウスを使用して１回クリック操作すると、再生開始位置が再生開始／終了位置候補位置８７，８８に設定され、さらに同じ再生開始／終了位置候補位置８７，８８をクリック操作すると、再生終了位置が再生開始／終了位置候補位置８７，８８に設定される。これにより、ユーザは、再生開始／終了位置候補位置の中から再生開始位置または再生終了位置を選択すればよいので、再生開始位置または再生終了位置をどこに設定しようかと迷うことはない。
【００６３】
この場合、記憶装置３０８に記憶されている地図データに行政区画の境界線のデータが含まれるようにし、撮影位置を示す矢印が行政区画の境界線と交差する位置を検出することによって、再生開始／終了位置候補位置の設定位置を決定する。
【００６４】
（３）ユーザが地図上に範囲を指定し、撮影位置の軌跡を示す矢印の中で指定した範囲に含まれる部分に対応する動画のみを再生するようにしてもよい。たとえば、ユーザが地図上に閉じた図形を描き、撮影位置の軌跡を示す矢印の中で描いた図形に含まれる部分に対応する動画のみを再生するようにしてもよい。つまり、ユーザが地図上に描いた図形に基づいて、動画の再生開始位置および／または再生終了位置が設定されるようにしてもよい。
【００６５】
たとえば、図１３（ａ）に示すように、ユーザが不図示のマウスのドラッグ操作によって閉じた図形４４を描くと、撮影位置の軌跡を示す矢印４３ａ〜４３ｄのうちの閉じた図形４４に含まれる部分の動画が再生される。つまり、撮影位置の軌跡を示す矢印４３ａのうちの４５ａの部分に対応する動画が再生され、撮影位置の軌跡を示す矢印４３ｂのうちの４５ｂの部分に対応する動画が再生され、撮影位置の軌跡を示す矢印４３ｃのうちの４５ｃの部分に対応する動画が再生され、撮影位置の軌跡を示す矢印４３ｄの動画は再生されない。
【００６６】
これにより、ユーザは、撮影位置の軌跡を示す矢印に再生開始位置および／または再生終了位置を簡単な操作で設定することができるので便利である。また、撮影位置の軌跡を示す矢印が複数ある場合も、撮影位置の軌跡を示す複数の矢印の再生開始位置および／または再生終了位置を一括して設定することができるので便利である。
【００６７】
再生する動画ファイルが複数になる場合は、撮影された日時の古いものから先に再生されるようにしてもよい。図１３（ａ）では、撮影位置の軌跡を示す矢印４３ａのうちの４５ａの部分、撮影位置の軌跡を示す矢印４３ｂのうちの４５ｂの部分、撮影位置の軌跡を示す矢印４３ｃのうちの４５ｃの部分の順序で動画は再生される。なお、ユーザが、複数の動画の再生する順序を決定できるようにしてもよい。
【００６８】
ユーザが閉じた図形を描いたか否かの判定は、不図示のマウスのドラッグ操作により図形を描き始めた位置と図形を描き終えた位置とが一致するか否かで行う。
【００６９】
撮影位置の軌跡を示す矢印のうちの、ユーザが描いた図形内の部分の再生は、撮影の開始位置がユーザの描いた図形内であるか否かの判定と、撮影位置の軌跡を示す矢印がユーザの描いた図形と交差する位置に交互に再生開始位置および再生終了位置を設定することとによって行う。
【００７０】
たとえば、動画ファイルの撮影を開始した位置がユーザの描いた図形の外側の場合、撮影位置の軌跡を示す矢印がユーザの描いた図形と交差する位置に、再生開始位置と再生終了位置とを交互に、撮影の開始側から設定する。一方、動画ファイルの撮影を開始した位置がユーザの描いた図形の内側の場合、撮影位置の軌跡を示す矢印がユーザの描いた図形と交差する位置に、再生終了位置と再生開始位置とを交互に、撮影の開始側から設定する。これにより、撮影位置の軌跡を示す矢印のうちの、ユーザが描いた図形内の部分が再生されるようになる。
【００７１】
なお、撮影位置の軌跡を示す矢印のうちの、ユーザが描いた図形内の部分を撮影位置の座標などから判断して、撮影位置を示す矢印のうちの、ユーザが描いた図形内の部分を再生するようにしてもよい。
【００７２】
なお、地図の中に範囲を指定するものであれば、地図に図形を描くことによって範囲を指定することに限定されない。
【００７３】
また、ユーザが地図上に閉じた図形を描き、撮影位置の軌跡を示す矢印の中で、ユーザが描いた図形に含まれる部分に対応する動画を再生するとき、複数の動画ファイルを再生する場合がある。この場合、再生する動画ファイルが切り替わるときに視覚的効果を与えるためにトランジション（transition）処理を行うようにしてもよい。
【００７４】
たとえば、１つの動画ファイルの再生が終了するとき最後の画像を消して、次の動画ファイルの再生を開始する（シンプルモード）ほかに、１つの動画ファイルの再生が終了するとき画像が徐々に消えるようにし、次の動画ファイルの再生を開始するとき画像が徐々に現れるようにしてもよい（フェードイン・フェードアウトモード）。また、１つの動画ファイルの再生が終了するとき、画像が回転しながら終了するようにしたり（回転モード）、１つの動画ファイルの再生が終了するとき画像が徐々に小さくなり、次の動画ファイルの再生が開始するとき小さい画像が徐々に大きくなるようにしたりしてもよい（ズームイン・ズームアウトモード）。
【００７５】
トランジション処理を行う場合、図１３（ｂ）に示すように、トランジション処理を選択するためのポップアップ画面４６を表示させ、ポップアップ画面４６から不図示のマウスのクリック操作によって所望のトランジション処理を選択できるようにしてもよい。
【００７６】
（４）動画表示装置が、動画の再生開始位置および／または再生終了位置を自動的に設定するようにしてもよい。たとえば、撮影位置の軌跡を示す矢印がランドマークの入口を通過してランドマークに進入するとき、ランドマークの入口に再生開始位置が設定されるようにしてもよい。これにより、ランドマークの入口に再生開始位置を設定する操作を省略することができ、便利である。
【００７７】
たとえば、図１４に示すように、撮影位置の軌跡を示す矢印９３ａが遊園地９８の入口を通過して遊園地９８の敷地内に進入する場合、遊園地９８の入口に再生開始位置９７が設定され、撮影位置の軌跡を示す矢印９３ａのうちの符号９５ａの部分が再生されるようにしてもよい。
【００７８】
また、撮影位置の軌跡を示す矢印がランドマークの出口を通過してランドマークから退出するとき、ランドマークの出口に再生終了位置が設定されるようにしてもよい。これにより、ランドマークの入口に再生終了位置を設定する操作を省略することができ、便利である。たとえば、撮影位置を示す矢印が遊園地の出口を通過して遊園地敷地から退出する場合、遊園地の出口に再生終了位置が設定されるようにしてもよい。
【００７９】
この場合、記憶装置３０８に記憶されている地図データには、ランドマークの入口の位置情報や出口の位置情報が含まれることになる。
【００８０】
−第３の実施形態−
【００８１】
本発明の第３の実施形態における動画表示装置を説明する。本発明の第３の実施形態における動画表示装置は動画ファイルの保存に特徴を有する。
【００８２】
本発明の第３の実施形態における撮像装置の構成は、本発明の第１の実施形態における撮像装置１の構成と同一であるので、本発明の第３の実施形態における撮像装置の説明は省略する。
【００８３】
本発明の第３の実施形態における動画表示装置の構成は、本発明の第１の実施形態における動画表示装置３の構成と同一であるので、本発明の第３の実施形態における動画表示装置の説明は省略する。
【００８４】
図１５を参照して、本発明の第３の実施形態における動画ファイルの保存方法を説明する。メモリカード１５０に記憶されている複数の動画ファイルの中から所望の動画ファイルを再生し、再生している動画ファイルを記憶装置３０８に記憶するものとして説明する。
【００８５】
図１５（ａ）は、動画ファイルの再生画面を説明するための図である。再生画面３００には、再生している動画３０１が表示される。不図示のマウスを使用して動画３０１をクリック操作すると、図１５（ｂ）に示すように、動画保存画面が表示される。動画保存画面４００には、図１０に示す動画再生画面７０と同様に、動画３０１における動画ファイルの撮影位置の軌跡を示す矢印４０３ａと、再生されている動画３０１が撮影された時点の撮影位置を示す撮影位置マーク４０４と、撮影方向を示す撮影方向マーク４０５と、再生している動画３０１とが表された地図４０２が表示される。また、地図４０２の上に保存ボタン４０７が表示される。また、再生画面３００には動画３０１に対応する動画４０６が表示される。
【００８６】
ユーザが、不図示のマウスを使用して保存ボタン４０７をクリック操作すると、地図データに基づいて撮影位置マーク４０４の位置の地名が検出される。そして、撮影位置マーク４０４の位置の地名をファイル名として、動画３０１の画像ファイルが記憶装置３０８に記憶される。
【００８７】
図１６のフローチャートを参照して、本発明の第３の実施形態における動画保存処理を説明する。図１６の処理は、動画ファイルの再生画面が表示モニタ３０４に表示されるとスタートするプログラムにより制御回路３０１において実行される。
【００８８】
ステップＳ４０１では、不図示のマウスのクリック操作によって再生されている動画が選択されたか否かを判定する。再生されている動画が選択された場合はステップＳ４０１が肯定判定され、ステップＳ４０２へ進む。再生されている動画が選択されていない場合はステップＳ４０２が否定判定され、ステップＳ４１２へ進む。
【００８９】
ステップＳ４０２では、選択された動画における動画ファイルの位置情報を読み込む。ステップＳ４０３では、読み込んだ動画ファイルにおける撮影位置が全て表示画面に入るように地図の表示範囲および地図の縮尺を決定する。ステップＳ４０４では、動画ファイルの撮影位置を線で結んで、撮影位置を示す矢印を作成する。
【００９０】
ステップＳ４０５では、撮影位置を示す矢印を表す地図を表示モニタ３０４に表示する。ステップＳ４０６では、保存ボタンを地図上に表示する。ステップＳ４０７では、再生している動画を地図に重ねて表示する。ステップＳ４０８では、再生されている動画の撮影位置に撮影位置マークと撮影方向マークとを表示する。
【００９１】
ステップＳ４０９では、不図示のマウスのクリック操作によって保存ボタンが選択されたか否かを判定する。保存ボタンが選択された場合はステップＳ４０９が肯定判定され、ステップＳ４１０へ進む。保存ボタンが選択されていない場合はステップＳ４０９が否定判定され、ステップＳ４１３へ進む。ステップＳ４１０では、再生されている動画の撮影位置の地名、つまり、撮影位置マークの表示位置における地名を、記憶装置３０８に記憶されている地図データに基づいて検出する。ステップＳ４１１では、検出した地名をファイル名として、再生している動画の動画ファイルを記憶装置３０８に保存する。そして、動画保存処理を終了する。
【００９２】
ステップＳ４１２では、動画の再生が終了したか否かを判定する。動画の再生が終了した場合はステップＳ４１２が肯定判定され、動画保存処理を終了する。動画の再生が終了していない場合はステップＳ４１２が否定判定され、ステップＳ４０１に戻る。
【００９３】
ステップＳ４１３では、動画の再生が終了したか否かを判定する。動画の再生が終了した場合はステップＳ４１３が肯定判定され、動画保存処理を終了する。動画の再生が終了していない場合はステップＳ４１３が否定判定され、ステップＳ４０８に戻る。
【００９４】
以上説明した第３の実施形態によれば、次の作用効果が得られる。
（１）再生されている動画４０６の撮影位置４０４の地名を地図データから検出し、その地名をファイル名として、再生されている動画を保存するようにした。これにより、撮影場所の地名から所望の動画を検索することができ、動画表示装置の利便性が向上する。
【００９５】
（２）再生されている動画３０１をクリック操作すると、再生されている動画の撮影位置の軌跡４０３ａを示した地図４０２が表示されるようにした。これにより、再生されている動画がどこで撮影されたものであるかをすぐに認識することができ、便利である。さらに、撮影位置の軌跡４０３ａの上に再生されている動画が撮影された時点の撮影位置を示す撮影位置マーク４０４や撮影方向マーク４０５を表示したので、再生されている動画の撮影位置や撮影方向をすぐに認識することができ、動画表示装置の利便性が向上する。
【００９６】
以上の第３の実施形態を次のように変形することができる。
（１）ユーザが設定した再生開始位置、再生終了位置に基づいて再生されることになる動画ファイルを記憶装置３０８に記憶するようにしてもよい。たとえば、図９において、撮影位置を示す矢印６３ａの中で再生開始マーク６７と再生終了マーク６８との間の部分に相当する動画ファイルを取り出して記憶装置３０８に記憶できるようにしてもよい。画像ファイルの編集操作を地図上の操作で行うことができ、便利である。この場合、記憶装置３０８に記憶するときのファイル名を、ユーザが自由に選択できるようにしてもよい。
【００９７】
（２）ユーザが再生開始／終了位置候補位置に設定した再生開始位置、再生終了位置に基づいて再生されることになる動画ファイルを記憶装置３０８に記憶するようにしてもよい。たとえば、図１２において、ユーザが再生開始／終了位置候補位置８７，８８に設定した再生開始位置、再生終了位置に基づいて再生されることになる動画ファイルを記憶装置３０８に記憶するようにしてもよい。画像ファイルの編集操作を地図上の操作で行うことができ、便利である。この場合、記憶装置３０８に記憶するときのファイル名を、ユーザが自由に選択できるようにしてもよい。
【００９８】
（３）ユーザが地図上に範囲を指定し、撮影位置の軌跡を示す矢印の中で指定した範囲に含まれる部分の動画ファイルを記憶装置３０８に記憶するようにしてもよい。たとえば、ユーザが地図上に閉じた図形を描き、撮影位置の軌跡を示す矢印の中で、描かれた図形に含まれる部分の動画ファイルを記憶装置３０８に記憶するようにしてもよい。
【００９９】
図１３（ａ）において、撮影位置を示す矢印４３ａのうちの４５ａの部分に対応する動画ファイルと、撮影位置を示す矢印４３ｂのうちの４５ｂの部分に対応する動画ファイルと、撮影位置を示す矢印４３ｃのうちの４５ｃの部分に対応する動画ファイルとを結合して１つの動画ファイルとして記憶装置３０８に記憶するようにしてもよい。画像ファイルの編集操作を地図上の操作で行うことができ、便利である。この場合、記憶装置３０８に記憶するときのファイル名を、ユーザが自由に選択できるようにしてもよい。
【０１００】
複数の動画ファイルを１つの動画ファイルとして記憶するときの複数の動画ファイルの順序については、撮影された日時の古いものを先にするようにしてもよいし、ユーザが、記憶する動画ファイルの順序を決定するようにしてもよい。
【０１０１】
−変形例−
以上の第１〜３の実施形態を次のように変形することができる。
（１）撮像装置で動画を撮影するとき、所定時間ごとに撮影された画像にＧＰＳ装置１０６から取得した測位データと電子コンパス１０７から取得した撮影方向の情報とを所定時間ごとに付加するようにしてもよい。
【０１０２】
（２）撮影位置の軌跡を示す矢印が表示モニタ３０４に多く表示されている場合、ユーザの選択により、撮影位置を示す矢印を適宜非表示にできるようにしてもよい。
【０１０３】
（３）図２に示す動画ファイル２の画像データの中で、位置情報および撮影方向の情報が付加されていない画像データについては、その画像が撮影される前に撮影された画像データの中で、位置情報および撮影方向の情報を有する直近の画像データの位置情報および撮影方向の情報を、その画像データの位置情報および撮影方向の情報として使用するようにしてもよい。たとえば、図２において、フレーム２１ｇ〜２１ｋの画像データの位置情報および撮影方向の情報は、符号２２ａの情報となるようにしてもよい。
【０１０４】
（４）ユーザが、移動しながら撮影を行ったときの撮影位置の軌跡を認識できれば、撮影位置の軌跡を示す線図は矢印に限定されない。たとえば、移動しながら撮影を行ったときの撮影位置の軌跡を点線で示してもよい。
【０１０５】
（５）動画ファイルの小画像は、動画ファイルに含まれる画像の中の１つの画像を小画像にしたものであれば、実施形態に限定されない。また、動画ファイルの小画像を動画で表示するようにしてもよい。
【０１０６】
（６）動画表示装置がＧＰＳ装置などを備えて動画表示装置の位置を検出できる場合、撮影位置を示す矢印を表した地図を表示するとき、検出した動画表示装置の位置を中心とした地図を表示するようにしてもよい。また、動画表示装置がＩＰアドレスを取得している場合、撮影位置を示す矢印を表した地図を表示するとき、ＩＰアドレスによって検出された動画表示装置の位置を中心とした地図を表示するようにしてもよい。動画表示装置と撮影位置との位置関係を把握することができ便利である。
【０１０７】
（７）動画表示装置は、動画と地図とを表示できれば実施形態に限定されない。たとえば、パーソナルコンピュータやナビゲーション装置でもよい。パーソナルコンピュータの場合、動画ファイル選択画面表示処理、動画再生処理、動画保存処理、動画編集処理などを実行させるためのプログラムを記憶した記録媒体からプログラムを読み取らせて以上の実施形態の処理を実行させる。
【０１０８】
以上の実施形態と変形例の一つ、もしくは複数を組み合わせることも可能である。変形例同士をどのように組み合わせることも可能である。
【０１０９】
以上の説明はあくまで一例であり、本発明は上記実施形態の構成に何ら限定されるものではない。
【符号の説明】
【０１１０】
１  撮像装置
３  動画表示装置
１０６  ＧＰＳ装置
１０７  電子コンパス
１５０  メモリカード
３０４  表示モニタ
３０８  記憶装置
【図１】
2010171838.tif 000003
【図２】
2010171838.tif 000004
【図３】
2010171838.tif 000005
【図４】
2010171838.tif 000006
【図５】
2010171838.tif 000007
【図６】
2010171838.tif 000008
【図７】
2010171838.tif 000009
【図８】
2010171838.tif 000010
【図９】
2010171838.tif 000011
【図１０】
2010171838.tif 000012
【図１１】
2010171838.tif 000013
【図１２】
2010171838.tif 000014
【図１３】
2010171838.tif 000015
【図１４】
2010171838.tif 000016
【図１５】
2010171838.tif 000017
【図１６】
2010171838.tif 000018